(57)【要約】【課題】歯科などで使用する口腔内観察用鏡に可変の拡大・縮小機能を持たせ、衛生上の問題も解決する柄付き鏡の提供。【解決手段】柄の部分と鏡部を着脱可能とし、樹脂製で熱に弱い鏡部は使い捨てとし金属製の柄の部分のみオートクレーブ消毒する。そして柄の部分にシリンダーとピストンを内蔵することで、使い捨て鏡部は小型かつシンプルで安価なものにすることが出来る。【選択図】図１
2018033910.tif 000002
【特許請求の範囲】
【請求項１】
鏡部と柄から成り、柄から伸びた導管があり、導管と鏡部が脱着可能とし、鏡部は皿状容器でその上面周縁にフィルム状鏡が接着してあり、接着部分をカバーするフィルムリングからなり、フィルム状鏡と皿状容器によりできた気密空間があり、皿状容器下面には該気密空間と連通した鏡結合部があり、導管には導管結合部があり、脱着可能な結合が出来るようになっているとともに該鏡部と該導管がお互いに対して回転しないようになっていて、導管は柄の内部に設けられたシリンダーと連通し、該気密空間と該シリンダーが連通し、該シリンダーに嵌合するピストンを動かすことでシリンダー内の圧力変動がフィルム状鏡に伝わるようにしてフィルム状鏡を凸面又は凹面に変化させることを特徴とする柄付き鏡
【請求項２】
鏡結合部に窪みを設け、ここに嵌合する凸形状の導管結合部を持つか、凸形状の鏡結合部でこれに嵌合する窪みを持った導管結合部をもち、抜き差しにより脱着が出来るようにしたことを特徴とする請求項１の柄付き鏡
【請求項３】
導管とシリンダーの間に設置され、シリンダー内の圧力を任意に解放可能な弁を持つことを特徴とする請求項１の柄付き鏡
【請求項４】
柄と導管がＯリングを介して結合し気密を保ちつつ柄に対する導管の回転の自由度を持つことを特徴とした請求項１の柄付き鏡
【請求項５】
弁体とシール部材とを含みシリンダー内の圧力を解放可能な弁のためのレバーをそなえ、該レバーは作用点と支点と力点を持ち、作用点が弁体に繋がり力点は外力が加えられるようになっていて、バネが弁体に力を及ぼすとともに通常は弁が閉じる状態を維持し、力点にレバーを回転させるような外力が加わった時のみ弁が開くことを特徴とする請求項３の柄付き鏡
【請求項６】
柄の側面にピストンと繋がった操作片を設け、指でピストンを動かせることを特徴とする請求項１の柄付き鏡
【請求項７】
弁開放ためのレバーで、弁体を常に開けようとするバネが弁体側にありかつ、作用点が弁体に作用し、支点があり、力点にはボールもしくはローラーが接していてピストン外周に接していて常に弁体を閉じようとする力が優っているようになっていて、ピストン外周に設けられたミゾにボールもしくはローラーが落ち込んだ時だけ弁が開くようになっていることを特徴とする請求項３の柄付き鏡
【発明の詳細な説明】
【技術分野】
【０００１】この発明は、柄付き鏡で特に歯科で使う口腔内観察用の鏡に関するものである。
【背景技術】
【０００２】口腔内観察用鏡は歯科医師などが患者の口腔内をくまなく観察する為に用いる器具で、口腔内に入れて使用する。そのために細い柄の先に直径２０ミリメートル程の大きさの鏡を取り付けたものが使われている。しかし観察対象が寸法的に小さく拡大して見る必要がある。そこで歯科医師等が眼鏡に装着するタイプのルーペを着用しこれで鏡を見ることで拡大像を得ている。しかしながら、常に拡大状態のルーペを着用することで船酔いのような不快な状態に陥ることがあり、改善策が要望されている。
一方、プラスチックフィルムの進歩によりフィルムにアルミなどの金属を蒸着したフィルム状鏡が出来るようになり、発明者自身の提案で特開２０１０−１８３９９６に示したような拡大鏡がある。これは、皿状容器の上端面にフィルム状鏡を貼り付け密閉空間を造り、パイプでシリンダーに繋ぎシリンダー以内のピストンを動かして圧力変化をフィルム状鏡に伝えて平面鏡から凹面鏡に変化させるものである。軽量でガラスのように割れる心配もなく便利なものである。ピストンの引き具合により凹面鏡の倍率を任意に変えることが出来きる。
これを小型化し口腔内観察用鏡に応用できればはなはだ便利である。
【先行技術文献】
【特許文献】
【０００３】
【特許文献２】特開２０１０−１８３９９６
【特許文献３】特許第５５００５３９号
【発明の概要】
【発明が解決しようとする課題】
【０００４】しかしながら口腔内に入れるためには鏡の寸法は薄く、小さくなくてはならない。また衛生上の問題から口腔内観察用鏡はオートクレーブにて滅菌消毒しなくてはならず、この時の高温に耐えるものにしなくてはならず、現行のフィルム状鏡は使用できない、などの問題がある。
本発明の目的はフィルム状鏡を含む先端の鏡部分と柄の部分とを簡単に分離できるようにするとともに、装着時は勝手に抜けたり、回転したりしないようなっていて、鏡部分は使い捨てにするとともに柄にピストンを内蔵する柄付き鏡を提供することである。
【課題を解決するための手段】
【０００５】本発明の目的は、鏡部と柄から成り、柄から伸びた導管があり、導管と鏡部が脱着可能とし、鏡部は皿状容器でその上面周縁にフィルム状鏡が接着してあり、接着部分をカバーするフィルムリングからなり、フィルム状鏡と皿状容器によりできた気密空間があり、皿状容器下面には該気密空間と連通した鏡結合部があり、導管には導管結合部があり、脱着可能な結合が出来るようになっているとともに該鏡部と該導管がお互いに対して回転しないようになっていて、導管は柄の内部に設けられたシリンダーと連通し、該気密空間と該シリンダーが連通し、該シリンダーに嵌合するピストンを動かすことでシリンダー内の圧力変動がフィルム状鏡に伝わるようにしてフィルム状鏡を凸面又は凹面に変化させることを特徴とする柄付き鏡を提供することで達成される。
本発明の好ましい一番目の実施形態によれば、鏡結合部に窪みを設け、ここに嵌合する凸形状の導管結合部を持つか、凸形状の鏡結合部でこれに嵌合する窪みを持った導管結合部をもち、抜き差しにより脱着が出来るようにしたことを特徴とする柄付き鏡でもよい。
さらに別の実施形態によれば、導管とシリンダーの間に設置され、シリンダー内の圧力を任意に解放可能な弁を持つことを特徴とする柄付き鏡でもよい。
更に好ましい実施形態によれば、柄と導管がＯリングを介して結合し気密を保ちつつ柄に対する導管の回転の自由度を持ち、適宜着脱可能とした実施形態の柄付き鏡でもよい。
更には、前記弁は弁体とシール部材とを含み弁開放のためのレバーをそなえ、該レバーは作用点と支点と力点を持ち、作用点が弁体に繋がり力点は外力が加えられるようになっていて、バネが弁体に力を及ぼすとともに通常は弁が閉じる状態を維持し、力点にレバーを回転させるような外力が加わった時のみ弁が開くことを特徴とする柄付き鏡でもよい。
また更に、柄の側面にピストンと繋がった操作片を設け、指でピストンを動かせることを特徴とする柄付き鏡でもよい。
更に、弁開放ためのレバーで、弁体を常に開けようとするバネが弁体側にありかつ、作用点が弁体に作用し、支点があり、力点にはボールもしくはローラーが接していてピストン外周に接していて常に弁体を閉じようとする力が優っているようになっていて、ピストン外周に設けられたミゾにボールもしくはローラーが落ち込んだ時だけ弁が開くようになっていることを特徴とする柄付き鏡でもよい。
【発明の効果】
【０００６】本発明はプラスチックで出来た鏡部と柄の部分を着脱可能とし使い捨てにすることで衛生上の問題が無くなり、鏡部を拡大及び縮小鏡に駆動するシリンダーとピストンを柄に組み込むことで鏡部を小型化できたため、口腔内など狭い空間へ挿入することが出来るようになり、口腔内細部及び全体の観察がしやすくなった。また口腔以外でも手術などで臓器などの裏側を拡大観察できるようになる。
【図面の簡単な説明】
【０００７】
【図１】本発明の柄付き鏡を手で操作している斜視図
【図２】本発明鏡部と導管が結合状態の断面図
【図３】鏡部と導管が分離した状態の断面図
【図４】鏡部と導管が分離した状態の斜視図
【図５】別の方式の鏡部と導管が分離した状態の断面図
【図６】別の方式の鏡部と導管が分離した状態の斜視図
【図７】柄付き鏡の正面図
【図８】柄付き鏡の気圧変動部の断面図
【図９】柄付き鏡の別の方式の気圧変動部断面図
【図１０】柄付き鏡のレバーを持たない気圧変動部断面図
【発明を実施するための形態】
【実施例】
【０００８】図１は本発明の一つの実施例で口腔内観察用鏡の全体と手先を示している。柄１があり操作片３がついている。そしてその左には圧力変動部２があり、導管４の先に鏡部５がある。右手で柄１を持ち親指で操作片３を動かす。図で左方向に動かすと気圧変動部２内のピストンも左方向に動きシリンダー内の圧力が高まり、その圧力が導管４の穴を通して鏡部５の気密空間１３に伝わりフィルム状鏡１１が凸状に変形し凸面鏡になる。これで口腔内を広く観察することが出来る。【０００９】反対に、図右方向に操作片３を動かすとシリンダー９の容積が拡大し圧力が減少するのでフィル状鏡１１は凹面鏡になり口腔内の細部を観察できるようになる。この様に拡大・縮小鏡として機能する。柄の側面に目盛り１ａが刻んであり、操作片３の移動量の目安になる。
また、圧力開放レバー６人差し指で適宜押すことが出来、押された時点でシリンダー内の圧力が大気圧と同じになり、フィルム状鏡１１は自身の弾性により平面鏡に戻る。口腔内で使う場合、鏡面と観察すべき歯などの距離が近いために拡大率は出来るだけ大きくしなければならない、そのためにはより多量の空気を鏡部より引き込まなくてはならない。これはシリンダー全容積を拡大鏡用又は縮小鏡用として使うか、両者を適当に案分して使うか使用者が任意に決められるようになっているということであり、細い柄の中に仕込まれた小さなシリンダー容積を有効に使えることになる。【００１０】鏡部は樹脂製でシンプルかつ安価に作製でき任意に着脱できるようになっているので、患者毎に新品に交換することで、衛生上の問題が生じない。一方、柄の部分はステンレスなどの金属にしておくとオートクレーブで消毒し使いまわすことが出来る。当然、シリンダーのＯリングや弁のＯリングはシリコンゴムなどの耐熱性の高いものが使われる。【００１１】また、本発明の鏡は外科手術などの際、臓器などの裏側を観察する場合にも便利である。柄１の左側には気圧を変化させる気圧変動部２があり、柄１は鉛筆のような六角断面を持ち外面に滑り止めの凹凸がある。そして、中にある操作片３を指で動かすことで気圧を変動させその圧力変動が曲がり導管４を伝って鏡部５に伝えられる。また圧力解放レバー６が設けられている。【００１２】図２から図４は鏡部と鏡結合部これに嵌合する導管及び導管結合部を示している。
図２は鏡部５の断面図である樹脂でできた円盤状の皿状容器１０の周縁にフィルム状鏡１１が接着剤で貼り付けてありミラーリング１２が勘合している。両者に囲まれた機密空間１３が導管４内の穴１４を通してシリンダーと繋がっている。皿状容器下面に設けられた鏡結合部１５は窪みがありと導管先端に設けられた凸形状の導管結合部１６が勘合し導管結合部の係合突起１７が受け部に開いた係合穴１８に嵌り皿状容器１０と導管４の勘合を外れにくくしているが必要な時には使用者が手で簡単に引き抜くことが出来る。ミラーベースの鏡結合部１５窪みの内部にはゴムシート１９が貼り付けてあり鏡部５と導管４が結合状態で導管結合部の端面と密着し空気が漏れないようになっている。また、鏡結合部１５は矩形断面になっていて導管結合部１６の平坦面もそれに合うようになっているために回転の自由度は無い。【００１３】図３及び図４は鏡部５と導管４が分離された状態を示す。図２は結合された状態の断面図である。図５及び図６は上記のものとは雄雌反対で、鏡部の皿状容器下面に設けられた鏡結合部１５ａが凸状で、導管結合部１６ａに設けた凹部に嵌合し鏡結合部１５ａに設置された結合部Ｏリング２０で気密が保たれるようになっている。鏡部５を導管４に差し込むと凹部の切り欠き面２１が鏡部皿状容器底面に接し回転の自由度を無くしている。また凹部切り欠き面の係合窪み２２が鏡部皿状容器底面に設けた係合突起２３に嵌り簡単に抜けないようになっている。何度も抜き差しを繰り返すと鏡部の係合突起２３が磨滅するが使い捨てであるので問題ない。また、鏡部５と導管４が回転してしまうと使用しにくくなるので上述したような何らかの回り止めの機構が必要になる。【００１４】図７は本発明の柄付き鏡の全体図である。
図８は図７の気圧変動部２付近の断面図である。操作片３はビス３０でピストン３１と結合されていて操作レバー３を動かすとピストン３１がシリンダー３２の中を移動し圧力変動が生じ導管４の穴１０から鏡部５に伝わるピストンＯリング３３はピストン３１とシリンダー３２の気密を保つためにある。圧力解放レバー６は支点となるピン３４を中心に回転する。右側のレバースプリング３５は圧力解放レバー６を反時計方向に回転させるように作用しボール弁３６を弁Ｏリング３７に押し付けシリンダー３２内の気密を保っている。圧力解放レバー６が指で押されると時計方向に回転しカウンタースプリング３８でボール弁３６が弁Ｏリング３７から離れシリンダー３２内の圧力が解放され大気圧と同じになる。【００１５】なおこの圧力開放弁はボールとＯリングの組み合わせに限るものでは無く、穴にゴム片を押し当てるようなものでもよい。そして、圧力開放弁はシリンダーと導管の間に置くべきものであるが、直接圧力開放弁を指で操作しようとしても届かないので圧力開放レバー６を使うと指で簡単に操作でき便利である。【００１６】導管Ｏリング３９は導管４とシリンダー９内をシールするものである。導管４は気圧変動部２から必ずしも着脱ができなくてもいいが回転の自由度を持つ必要があり、Ｏリングなどの摩擦により適度な回転抵抗も必要である。【００１７】図９は本発明の別の実施例での気圧変動部２の断面図を示す。
シリンダー３２とピストン３１は前の例と同じであるがボール弁３６と弁Ｏリング３７が気圧変動部内にあり、スプリング４０は常にボール弁３６を閉じるように作用していてレバー６を押したときだけ支点ピン４２を中心にレバー６が回転し作用点３９がボール弁３６を開きシリンダー３２内が大気圧になる。このような方式でもよい。【００１８】図１０は図８の実施例とほとんど同じ構成であるが圧力開放レバー６‘を指で任意に操作する必要がないタイプである。ピストン８’に窪み３０がありピストン８‘が左方向に移動して行きボール３１のところまで来るとカウンタースプリング１６の力で圧力開放レバー６‘が僅かに回転しボール３１がシリンダー窪み４１に落ち込みボール弁１４が開き、シリンダー９内の圧力が大気圧と同じになり鏡部５のフィルム状鏡２１は平面鏡になる。【００１９】このようにすると、シリンダー容積を窪み３０の位置で拡大用と縮小用にあらかじめ案分することになり最大限どちらかに振り向けることはできなくなるが、操作片３を動かすと窪みの位置で指に抵抗を感じることが出来、その位置が平面鏡で左方向に押せば縮小鏡に右方向に引けば拡大鏡となるため、いちいち圧力開放レバー６を指で押す必要がなくなり非常に分かりやすいものになる。
【符号の説明】
【００２０】１      柄
１ａ    目盛り
２      気圧変動部
３      操作片
４      導管
５      鏡部
６      圧力開放レバー
１０    皿状容器
１１    フィルム状鏡
１２    ミラーリング
１３    気密空間
１４    穴
１５    鏡結合部
１５ａ  鏡結合部
１６    導管結合部
１６ａ  導管結合部
１７    係合突起
１８    係合穴
１９    ゴムシート
２０    結合部Ｏリング
２２    係合窪み
２３    係合突起
３０    ビス
３１    ピストン
３２    シリンダー
３３    ピストンＯリング
３４    ピン
３５    レバースプリング
３６    ボール弁
３７    弁Ｏリング
３８    カウンタースプリング
３９    導管Ｏリング
４０    スプリング
４１    シリンダー窪み
４２    支点ピン
【図１】
2018033910.tif 000003
【図２】
2018033910.tif 000004
【図３】
2018033910.tif 000005
【図４】
2018033910.tif 000006
【図５】
2018033910.tif 000007
【図６】
2018033910.tif 000008
【図７】
2018033910.tif 000009
【図８】
2018033910.tif 000010
【図９】
2018033910.tif 000011
【図１０】
2018033910.tif 000012